(57)【要約】      （修正有）【課題】扉の開閉動時に床面との摩擦抵抗等による振動の発生がなく、振動に伴う騒音を発することをなくすことができる扉下部気密構造を提供する。【解決手段】扉の下部外側面にその幅方向に延設固定される基板２１と、この基板の外側面に係着して合体される化粧カバー２２と、弾性資材により形成され下端に床面１２に接する接地部を有するシール材２３とを備え、前記基板はその下部縁にそって下面が開放された内部空間２４を有するシール材保持部２５を設け、このシール材保持部に前記シール材の上部に形成された大径部を嵌合支持し、前記化粧カバー２２の係着により前記シール材保持部の側面が隠蔽されるようにしたことにある。【選択図】図１
0003150881.tif 000002
【実用新案登録請求の範囲】
【請求項１】
扉の下部外側面にその幅方向に延設固定される基板と、この基板の外側面に係着して合体される化粧カバーと、弾性資材により形成され下端に床面に接触する接地部を有するシール材とを備え、前記基板はその下部縁にそって下面が開放された内部空間を有するシール材保持部が設けられ、このシール材保持部に前記シール材の上部に形成された大径部が嵌合支持されており、前記化粧カバーの係着により前記シール材保持部の側面が隠蔽されるように構成されていることを特徴とする扉下部気密構造。
【請求項２】
前記基板は扉の外側面にビスにより固定するように構成されている請求項１記載の扉下部気密構造。
【請求項３】
前記基板のビス止め用のビス挿通孔は縦方向に長い長孔とされ、ビスによる止着位置を微調整可能とされている請求項２記載の扉下部気密構造。
【請求項４】
前記基板に形成されるシール材保持部は、前記シール材の大径部が上下動可能な深さとされ、この保持部の下部開口部には前記シール材の大径部を抜出不可とする鍔部が形成されている請求項１〜３のいずれか１項記載の扉下部気密構造。
【請求項５】
前記シール材保持部は基板と一体に形成されている請求項１〜４のいずれか１項記載の扉下部気密構造。
【請求項６】
前記シール材保持部は別体として形成し、これを基板に取付けて構成されている請求項１〜４のいずれか１項記載の扉下部気密構造。
【請求項７】
前記シール材は、天然ゴム、合成ゴム、軟質合成樹脂等により形成されている請求項１〜６のいずれか１項記載の扉下部気密構造。
【請求項８】
前記シール材は、前記大径部に連設される面部の下端が床面に密接する接地部とされている請求項７記載の扉下部気密構造。
【請求項９】
前記シール材は、前記大径部に連設される面部の中間位置が一面側にくの字状に屈曲された屈曲部が形成されている請求項８記載の扉下部気密構造。
【請求項１０】
前記シール材の接地部が断面円形状の中空構造とされている請求項１〜９のいずれか１項記載の扉下部気密構造。
【考案の詳細な説明】
【技術分野】
【０００１】
本考案は、扉の下部の気密性を維持するための扉下部気密構造に関する。
【背景技術】
【０００２】
オフィス等において間仕切り等で仕切られた部屋をはじめ、各所に設けられる部屋の出入口は扉によって開閉され、出入りができるようになされている。
【０００３】
上記の扉は、部屋の構造等に応じて図８に示す回転式の扉１Ａ、または図９に示す引戸式の扉１Ｂのいずれかが一般に採用されている。
【０００４】
回転式の扉１Ａは、出入口の縦枠２にヒンジ３，３により枢支されて矢印方向に回転させることにより開閉され、引戸式の吊戸の扉１Ｂは、その上端が出入口の上框４に敷設されたレール（図示せず）に車輪付きハンガーを係合して懸吊支持され、矢印方向にスライドさせて出入口を開閉できるようになされたものが多く採用されている。なお、引戸式戸としては、吊戸に限らず通常の引戸であっても同様にあてはまる。
【０００５】
しかして上記いずれの形式の扉１Ａ，１Ｂにおいても、扉１Ａ，１Ｂの下端１ａ，１ａと床面との間に隙間が存在し、その結果気密性が損なわれて塵埃の侵入や冷・暖房効果の減退など種々の問題をもたらすものであった。
【０００６】
そこで従来から非特許文献１（図１０参照）にみられるように、回転式扉１Ａの場合、その下部一側面に固定用支持部５を固設し、この固定用支持部５の上下部長手方向に突設された突条６，６に隙間遮蔽具７をその上下部に形成された溝８，８を嵌合させることにより支持させ、この隙間遮蔽具７の下方部に形成された固定部９内に下面が開口された可動部材１０を上下位置調整可能に嵌合し、この可動部材１０内にゴム等により形成されたシール材１１の上端の大径部１１ａを嵌合保持する構成とされている。
【０００７】
しかるに上記従来の構造では、扉の開閉動作時にシール材１１が床面１２に接触して移動することによる摩擦抵抗等によって振動が発生し、その振動は隙間遮蔽具７に伝播する。この隙間遮蔽具７と扉１Ａとは隙間遮蔽具７の溝８，８と扉１Ａと一体的な固定用支持部５の突条６，６とが嵌合して支持されているため上記振動に伴いガタガタする騒音が発生し、不快な音となって好ましくないという問題があった。
【０００８】
上記隙間遮蔽具７に相当する部材を扉に直接固定関係として構成されるものとして特許文献１（図１１参照）に示されるものがある。
【０００９】
この文献に記載の技術は吊戸式の扉引戸に対応するもので、扉１Ｂの安定直進走行をガイドするために床面１２に植設された突部１３に嵌合する溝１４の内側面に隙間遮蔽具に相当する部材１５を固定して構成される構造であるため、これをヒンジ３，３による前述の回転式の扉１Ａに適用するには余分な構造を付加しなければならず、複雑な構成となってコストアップに繋がり、実用上好ましくないという問題点がある。なお、図１０と共通する部材にはこれと同一符号を付しておく。
【特許文献１】意匠登録第１２４９８３８号公報
【特許文献２】実用新案登録願２００８−００３３３６号公報
【考案の開示】
【考案が解決しようとする課題】
【００１０】
本考案はこれに鑑み、扉に対し外付けでありながら開閉時に振動音を発生することがなく、安定して扉下端の隙間を閉鎖し、塵埃の侵入や冷・暖房効果の減退を防ぐことを課題とする。
【課題を解決するための手段】
【００１１】
上記課題を解決する手段として本考案は、扉の下部外側面にその幅方向に延設固定される基板と、この基板の外側面に係着して合体される化粧カバーと、弾性資材により形成され下端に床面に接触する接地部を有するシール材とを備え、前記基板の下部縁にそって下面が開放された内部空間を有するシール材保持部を形成し、このシール材保持部に前記シール材の上部に形成された大径部を嵌合して支持するようにしたことにあり、前記化粧カバーの係着によって前記シール材保持部の側面を隠蔽する構造としたことにある。
【００１２】
前記基板は扉の下部外側面にビス止めにより固定する構成とすることが取付け位置の設定や変更に容易に対応し得るので好ましく、また基板に穿設するビス挿通孔を上下方向に長い長孔とすることが取付け位置の微調整に対応するうえで好ましい。
【００１３】
前記基板に形成されるシール材保持部は前記シール材の大径部が上下動可能な深さとし、この保持部の下部開口部に前記シール材の大径部が抜け出さないようにする鍔部を形成することが好ましい。
【００１４】
前記シール材は、天然ゴム、合成ゴム、軟質合成樹脂等から選択された材料を用いることができる。また前記大径部に連設される面部の中間位置を一面側に例えばくの字状に屈曲する屈曲部を形成することがシール材に弾性および屈伸性を一層与えることになるので好ましい。さらに前記面部の下端の接地部は湾曲形状とするほか中空円筒状とすることができる。
【考案の効果】
【００１５】
本考案によれば、扉に固着される基板の下部にシール材保持部を形成し、この保持部にシール材の上部大径部を嵌合して支持するようにし、この基板の外面に化粧カバーを係着することにより外観を整える構成としたので、シール材と床面との接触による抵抗によって生じる振動が基板に伝播しても扉に固着されている基板が共振することがなく、よって化粧カバーに振動が伝わってガタガタする騒音を発生せず、静繍な扉とすることができる。  また基板を扉に直接固定する構造であるから、ヒンジによる回転式の扉、吊戸式引戸の扉の如何に拘らず支障なく適用することができ、特に扉の外側面に直接取付けることができるので特別な付加構造を用いる必要がなく、簡単な構成の下に実施することができ、これにより汎用性を著しく高めることができる。
【００１６】
さらに扉への基板の取付けのためのビス挿通孔を上下方向に長い長孔とすることにより取付け位置の微調整を容易化することができる。
【考案を実施するための最良の形態】
【００１７】
図１は回転式、吊戸式の如何を問わず、扉の下部に本考案による扉下部気密構造２０を装着した一実施形態の断面図を示すもので、この気密構造は、基板２１と化粧カバー２２とシール材２３とで構成され、基板２１および化粧カバー２２はプラスチック、アルミニウム等を素材とする成形品からなり、シール材２３はゴム、合成ゴム、軟質合成樹脂などにより形成される。
【００１８】
前記基板２１は、図１〜図３（Ｂ）に示すように、扉１Ａ，１Ｂの幅方向に延びる横長矩形状を有し、その下部縁にそって下面が開口された内部空間２４を有するシール材保持部２５が一体に形成されており、このシール材保持部２５の下端開口部の両側には鍔部２６，２６が形成されている。
【００１９】
また基板２１の上端部と下端部に化粧カバー係着用の突部２７，２８が形成されている。
【００２０】
この基板２１は扉１Ａまたは１Ｂにビス２９により固定されるようになっている。このビス止め用として穿孔されるビス挿通孔３０は上下方向に長い長孔とされ、止着時に上下方向の取付け位置を微調整可能とされている。この固定手段としてはビス止めに限られる必要はなく、基板２１の材質によっては接着剤による接着によってもよい。
【００２１】
前記化粧カバー２２は、図１〜図３（Ａ）に示されるように、前記基板２１に形成されている化粧カバー係着用突部２７，２８に係着される上部係止爪３１および下部係止爪３２を有し、基板２１の外面側から圧嵌めすることにより係止爪３１，３２が前記突部２７，２８に係着して図１，図２にみられるように基板２１に化粧カバー２２が一体化され、基板２１の外面側にあるシール材保持部２５およびビス２９の頭部２９ａが隠蔽されて外観が整えられる。
【００２２】
前記シール材２３は、図４および図５（Ａ）〜（Ｄ）に例示するように、上端長手方向に前記基板２１のシール材保持部２５の内部空間２４に嵌合しかつその鍔部２６，２６に係止されて抜出し不可の太さを有する大径部２３ａが形成されており、この大径部２３ａと一体に下端が床面１２に接する接地部３３ａとされた面部３３が連設されている。
【００２３】
上記面部３３および接地部３３ａの構成例としては、図５（Ａ）のように面部３３が平板状とされたフラットタイプ、図５（Ｂ）のように前記シール材保持部２５の下部に露出する部分を一側方へ例えば「く」字状に屈曲させて屈曲部３３ｂを形成し、挟みやすくしたもの、図５（Ｃ）のように面部３３の下端を一方側へ湾曲させて接地部３３ａとしたもの、さらに図５（Ｄ）のように接地部３３ａを中空パイプ状としたものなどがあるが、いずれもシール材２３の弾力によりその接地部３３ａが常に安定してその全域が床面１２に接するようになっている。
【００２４】
図６は本考案による扉下部気密構造を回転式の扉１Ａに適用した場合を示し、図７は同じく吊戸式の扉１Ｂに適用した場合を示している。
【００２５】
吊戸式の場合は、扉１Ｂの下端に凹溝１ｂを有し、この凹溝１ｂが床面１２に植立するガイド１３に嵌合して振れ止めされて直進動可能とされている。この吊戸式の扉においても本考案の気密構造の基板２１を何ら特別な構造を付加することなく取付けることができる。
【００２６】
なお、図中３４は化粧カバー２２の補強用リブを示す。
【００２７】
前記基板２１に設けられるシール材保持部２５は、基板２１とは別に形成し、これを基板２１に固着して構成するようにしてもよい。
【００２８】
したがって回転式、吊戸式引戸の扉１Ａ，１Ｂを問わずこれら扉を開閉動作させると、シール材２３の下端の接地部３３ａが床面１２に密接した状態で移動し、床面１２に若干の凹凸が存在してもシール材２３の自己が有する弾性により吸収して支障なく移動する。
【００２９】
また扉の取付け時に扉下端と床面１２との間の間隙の如何に対してはシール材２３の大径部２３ａがシール材保持部２５の内部空間２４内で上下動することにより自ずと自己調整機能が働いて常にその接地部３３ａが床面１２に密接して気密状態を保ち、本来の気密機能を全うする。
【００３０】
そして扉１Ａ，１Ｂの開閉動作時にシール材２３が床面１２との間で生じる摩擦抵抗により振動を発生しても、シール材２３を支持している基板２１は扉に固着されているので振動することがなく、不快な振動音を発することはない。
【図面の簡単な説明】
【００３１】
【図１】本考案による扉下部気密構造の一実施形態を示す断面図。
【図２】同、背面側から見た斜視図。
【図３】（Ａ）は図１、図２における化粧カバーの端面図、（Ｂ）は同基板の端面図。
【図４】図１におけるシール部材の一部の斜視図。
【図５】（Ａ）〜（Ｄ）はシール材の形態の例示図。
【図６】本考案による扉下部気密構造を回転式の扉に適用した状態を示す断面図。
【図７】同、吊戸式の引戸に適用した状態を示す断面図。
【図８】本考案の適用対象の一つである回転式扉の例示図。
【図９】同、吊戸式引戸の例示図。
【図１０】従来の回転式扉用の扉下部気密構造を示す断面図。
【図１１】同、吊戸式扉用の扉下部気密構造を示す断面図。
【符号の説明】
【００３２】
１Ａ        回転式の扉
１Ｂ        吊下げ式（引戸）の扉
２          出入り口の縦枠
４          同、上框
２０        扉下部気密構造
２１        基板
２２        化粧カバー
２３        シール材
２３ａ      大径部
２４        内部空間
２５        シール材保持部
２６        鍔部
２７，２８  突部
２９        ビス
３０        ビス挿通孔
３１        上部係止爪
３２        下部係止爪
３３        面部
３３ａ      接地部
【図１】
0003150881.tif 000003
【図２】
0003150881.tif 000004
【図３】
0003150881.tif 000005
【図４】
0003150881.tif 000006
【図５】
0003150881.tif 000007
【図６】
0003150881.tif 000008
【図７】
0003150881.tif 000009
【図８】
0003150881.tif 000010
【図９】
0003150881.tif 000011
【図１０】
0003150881.tif 000012
【図１１】
0003150881.tif 000013